(57)【要約】      （修正有）【課題】ユーザーへの金属アレルギーを回避したピアスを提供する。【解決手段】頭部１３にアクセサリーを吊り下げ可能な連結リング１５−１が形成された釘状のピアス本体１１−１と、ピアス本体の先端部を着脱自在に保持するキャッチ１６と、を備えたピアスにおいて、ピアス本体１１−１及びキャッチ１６が樹脂からなる。【選択図】図１
0003176424.tif 000002
【実用新案登録請求の範囲】
【請求項１】
頭部にアクセサリーを吊り下げ可能な連結リングが形成された釘状のピアス本体と、該ピアス本体の先端部を着脱自在に保持するキャッチと、を備えたピアスにおいて、
前記ピアス本体及び前記キャッチが樹脂からなることを特徴とするピアス。
【請求項２】
前記連結リングは、中心軸が前記ピアス本体の中心軸と平行であることを特徴とする請求項１記載のピアス。
【請求項３】
前記連結リングは、中心軸が前記ピアス本体の中心軸とねじれの位置にあることを特徴とする請求項１記載のピアス。
【考案の詳細な説明】
【技術分野】
【０００１】
本考案は、ピアスに関する。
【背景技術】
【０００２】
装身具の一種にピアスがある。ピアスは、主に耳たぶに形成された貫通孔に、一端に装飾部を兼ねたストッパーを有する釘状のピアス本体の他端を通し、ピアス本体の他端をキャッチに差し込んで保持するものである。キャッチにはナットのようなねじ溝を有しピアス本体にねじ着するねじ式（例えば、特許文献１参照）のものや、はめ込んだときのキャッチの復元力で脱落を防止するはめ込み式（例えば、特許文献２参照））のものがある。
【０００３】
特許文献１に記載の考案は、ピアスに関するものであり、具体的には、耳の取り付け孔に挿通して止着可能な止着軸を有し、止着軸に雄ねじ、ねじ孔、係止溝、端縁、係止縁又は受溝を形成し、雄ねじにねじ着する雌ねじ、ねじ孔にねじ着するねじ軸、係止溝に係合する係合片、端縁に係合する受溝、係止縁に係合する取付軸又は受溝に係合する挟着片のいずれか一つを装飾部に形成したものである。
【０００４】
また、特許文献２に記載の考案は、ピアスとそのキャッチに関するものであり、具体的には、一端に装飾パーツを取り付けたピンに、装飾性を有するキャッチを装着し、ピンの装飾パーツとキャッチとを装飾パーツとして選択使用できるように構成したものである。
【先行技術文献】
【特許文献】
【０００５】
【特許文献１】実公平７−９７３号公報
【特許文献２】実公平７−２７８５５号公報
【考案の概要】
【考案が解決しようとする課題】
【０００６】
ところで、上述した従来技術においては、ユーザーの耳に直接接触する部分は鉄等の金属で形成されている。
このため、金属アレルギーによるユーザーへの不都合が懸念される。
そこで、本考案の目的は、ユーザーへの金属アレルギーを回避したピアスを提供することにある。
【課題を解決するための手段】
【０００７】
かかる目的を達成するために、本考案にかかるピアスは、頭部にアクセサリーを吊り下げ可能な連結リングが形成された釘状のピアス本体と、該ピアス本体の先端部を着脱自在に保持するキャッチと、を備えたピアスにおいて、前記ピアス本体及び前記キャッチが樹脂からなることを特徴とする。
【考案の効果】
【０００８】
本考案によれば、ユーザーへの金属アレルギーを回避したピアスの提供が可能となる。
【図面の簡単な説明】
【０００９】
【図１】（ａ）は、本考案の一実施形態にかかるピアスの側面図であり、（ｂ）は、（ａ）に示したピアスのピアス本体をキャッチに差し込んだ状態を示す側面図である。
【図２】（ａ）は、図１（ａ）、（ｂ）に示したピアス本体の側面図であり、（ｂ）は、（ａ）の矢印Ｐ１方向の矢視図であり、（ｃ）は、（ｂ）のIIｃ−IIｃ線断面図である。
【図３】（ａ）は、図１（ａ）、（ｂ）に示したキャッチの側面図であり、（ｂ）は、（ａ）の矢印Ｐ２方向の矢視図である。
【図４】図１（ａ）に示したピアス本体の外観斜視図である。
【図５】図１（ａ）に示したピアス本体の外観斜視図である。
【図６】（ａ）は、本考案の他の実施形態にかかるピアスの側面図であり、（ｂ）は、（ａ）に示したピアス本体の矢印Ｐ３方向の矢視図であり、（ｃ）は、（ｂ）のVIｃ−VIｃ線断面図である。
【図７】図６（ａ）に示したピアス本体の外観斜視図である。
【図８】図１（ａ）に示したピアスをユーザーの耳に装着した状態を示す図である。
【考案を実施するための形態】
【００１０】
本考案の実施の形態について図面を参照して説明する。
＜実施形態１＞
［構  成］
図１（ａ）は、本考案の一実施形態にかかるピアスの側面図であり、図１（ｂ）は、図１（ａ）に示したピアスのピアス本体をキャッチに差し込んだ状態を示す側面図である。
図２（ａ）は、図１（ａ）、（ｂ）に示したピアス本体の側面図であり、図２（ｂ）は、図２（ａ）の矢印Ｐ１方向の矢視図であり、図２（ｃ）は、図２（ｂ）のIIｃ−IIｃ線断面図である。
図３（ａ）は、図１（ａ）、（ｂ）に示したキャッチの側面図であり、図３（ｂ）は、図３（ａ）の矢印Ｐ２方向の矢視図である。
図４、図５は、図１（ａ）に示したピアス本体の外観斜視図である。
【００１１】
図１（ａ）に示すピアス１０−１は、ピアス本体１１−１と、ピアス本体１１−１を受けるキャッチ１６とで構成される。ピアス本体１１−１は、例えば釘状に形成されており、ストッパーと装飾部を兼ねた頭部１３に図には示されないアクセサリーを吊り下げ可能な連結リング１５−１が支持部１４で一体的に形成されている。
連結リング１５−１は、中心軸がピアス本体１１−１の中心軸と平行になるように形成されている。
ピアス本体１１−１の胴部１２の先端（図１（ａ）では左端）は、耳たぶに装着する際に貫通孔に挿入しやすいように半球状に形成されている。頭部１３は、ユーザーが装着する際に指先が滑らないようにするため円錐状の凹面１３ａが形成されている。この凹面１３ａは円錐面状に形成されているが、放物面状に形成されていてもよく、多角錐面状に形成されていてもよい。
【００１２】
ピアス本体１１−１のサイズとしては、例えば頭部１３の外径が５ｍｍ程度であり、胴部１２の長さが１１ｍｍ程度である。胴部１２は先端に向かって狭くなるテーパ状に形成されている。テーパ角は０．５〜１°程度である。
連結リング１５−１の外径は、２ｍｍ程度であり、貫通孔１５−１ａの内径は１ｍｍ程度である。胴部１２の外径は、１ｍｍ程度である。
【００１３】
図３（ａ）、（ｂ）に示すキャッチ１６は、リベット状に形成され、頭部１７は外周部に装飾を兼ねて、ユーザーが装着する際に滑りにくくするように複数（図では１２個であるが限定されない。）の半円柱状の凹凸が形成されている。キャッチ１６の胴部１８は先端に向かって細くなるテーパ状に形成され、外周部に複数（図では４個であるが限定されない。）の半円柱状の凹凸を有する。テーパ角は数°である。
キャッチ１６の頭部１７の最大外径は５ｍｍ程度であり、胴部１８の最大外径は３ｍｍ程度である。
胴部１８の中央には貫通孔１９が形成されている。貫通孔１９の内径は、ピアス本体１１−１の胴部１２の平均外径より小さいが、挿入可能で、かつユーザーが脱着可能であり、使用中には脱落しない程度の大きさに形成されている。
【００１４】
ここで、ピアス本体１１−１及びキャッチ１６の材質には樹脂が用いられており、樹脂としては、ポリカーボネートが挙げられるが、食器や容器に用いられる樹脂であってもよい。すなわち、ポリエチレン、ポリプロピレン、ポリエチレンテレフタレート、ポリスチレン、エポキシ樹脂、フェノール樹脂、ユリア樹脂、メラミン樹脂、ＡＢＳ樹脂（アクリロニトリル（Ａｃｒｙｌｏｎｉｔｒｉｌｅ）、ブタジエン（Ｂｕｔａｄｉｅｎ）、スチレン（Ｓｔｙｒｅｎｅ）共重合合成樹脂）、ＡＳ樹脂（アクリロニトリル（Ａｃｒｙｌｏｎｉｔｒｉｌｅ）、スチレン（Ｓｔｙｒｅｎｅ）のコポリマー（共重合化合物））、ポリ塩化ビニル、ポリ塩化ビニリデンが挙げられる。
［作用効果］
【００１５】
本ピアスは、材質が樹脂で構成されているので、ユーザーが金属アレルギーであっても使用することができる。
【００１６】
また、ピアス本体１１−１とキャッチ１６とが樹脂で構成されているため、ピアス本体１１−１の胴部１２をキャッチ１６の貫通孔１９に差し込んだときに両者の弾性と摩擦力により、ある程度の保持力が生じて使用中の脱落が防止される。
【００１７】
また、ピアス本体１１−１の頭部１８の外周の形状が円錐状であり、円錐状の凹面を有するので、平面に加工した場合と比較して立体的に見えるため、装飾性が得られる。
【００１８】
＜実施形態２＞
図６（ａ）は、本考案の他の実施形態にかかるピアスの側面図であり、図６（ｂ）は、図６（ａ）に示したピアス本体の矢印Ｐ３方向の矢視図であり、図６（ｃ）は、図６（ｂ）のVIｃ−VIｃ線断面図である。
図７は、図６（ａ）に示したピアス本体の外観斜視図である。
図６（ａ）〜（ｃ）に示した実施形態の図１（ａ）〜（ｃ）に示した実施形態との相違点は、連結リング１５−２の中心軸がピアス本体１１−２の中心軸とねじれの位置にある点である（実質的には両者の中心軸は直交している）。
このようなピアスにおいても実施形態１と同様の効果が得られる。
【００１９】
図８は、図１（ａ）に示したピアスをユーザーの耳に装着した状態を示す図である。
図８に示すピアス１１−１に装飾品としてのピアスパーツ２０が吊り下げられている。
ピアスパーツ２０も前述した樹脂で構成されている場合には金属アレルギーによる不都合が回避できる。
【００２０】
以上述べた実施の形態は、好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００２１】
１０−１、１０−２  ピアス
１１−１、１１−２    ピアス本体
１２、１８    胴部
１３、１７    頭部
１４    支持部
１５−１、１５−２    連結リング
１５−１ａ、１５−２ａ、１９    貫通孔
１６    キャッチ
２０    装飾品（ピアスパーツ）
【図１】
0003176424.tif 000003
【図２】
0003176424.tif 000004
【図３】
0003176424.tif 000005
【図４】
0003176424.tif 000006
【図５】
0003176424.tif 000007
【図６】
0003176424.tif 000008
【図７】
0003176424.tif 000009
【図８】
0003176424.tif 000010